(57)【要約】１または２以上の技術および／またはシステムが、シリンジまたはピペットと共に使用するための装置のために開示される。チャンバー本体は、第１のチャンバーと、第２のチャンバーと、流体ポートとを含む。第１の流体シールは第１のチャンバーに配置され、第２の流体シールは第２のチャンバーに配置される。チャンバー本体は、前記第１のシールおよび前記第２のシールが第１の位置に配置されたとき、第１のチャンバー壁、前記第１のシールおよび前記第２のシールによって規定される第１の容量を構成する。前記第１の容量は、前記第１のシールおよび前記第２のシールが第２の位置に配置されたとき、少なくとも第２のチャンバー壁と、前記第１のシールと、前記第２のシールとによって規定される第２の容量と、前記流体ポートで排出された流体を含む第３の容量との合計によって規定される。【選択図】図２
2016500549.tif 000002
【特許請求の範囲】
【請求項１】
シリンジまたはピペットとともに使用するための装置であって、該装置は、
第１のチャンバーと、第２のチャンバーと、流体ポートとを含むチャンバー本体と、
前記第１のチャンバーに配置される第１のシールと、
前記第２のチャンバーに配置される第２のシールと、を含み、
前記チャンバー本体は、第１の容量を含み、
前記第１の容量は、
前記第１のシールおよび前記第２のシールがそれぞれ第１の位置に配置したとき、少なくとも第１のチャンバー壁と、前記第１のシールと、前記第２のシールとによって規定されている、および／または
前記第１のシールおよび前記第２のシールがそれぞれ第２の位置に配置したとき、少なくとも第２のチャンバー壁と、前記第１のシールと、前記第２のシールとによって規定される第２の容量と、前記流体ポートで排出された流体を含む第３の容量との合計によって規定されていることを特徴とする装置。
【請求項２】
前記第１のシールは、前記第２のシールと動作可能に連結され、それにより、前記第２のシールが前記第１のチャンバー内の前記第１のシールの移動に比例して前記第２のチャンバー内で移動する請求項１に記載の装置。
【請求項３】
前記第１のチャンバー内の前記第１のシールの移動は、前記第２のチャンバー内の前記第２のシールの移動と実質的に等しく、または
前記第１のチャンバー内の前記第１のシールの移動は、前記第２のチャンバー内の前記第２のシールの移動と比例かつ非同等である請求項２に記載の装置。
【請求項４】
前記第１のシールと動作可能に連結され、前記第１のシールに並進力を付与するように構成されているアクチュエーターをさらに含む請求項１に記載の装置。
【請求項５】
前記第１のチャンバーは、前記第１のチャンバー壁と、第１の端部と、第２の端部とを含み、
前記第１の端部は、前記チャンバー本体の外部に対して開口を構成し、および／または
前記第２の端部は、前記第２のチャンバーと流体連結する開口を構成し、
前記第２のチャンバーは、前記第２のチャンバー壁と、第１の端部と、第２の端部とを含み、
前記第１の端部は、前記チャンバー本体の前記外部に対して開口を構成し、および／または
前記第２の端部は、前記第１のチャンバーと前記流体連結する開口を構成する請求項１に記載の装置。
【請求項６】
前記第１の位置は、前記第１のチャンバーの前記第１の端部に配置された前記第１のシールと、前記第２のチャンバーの前記第２の端部に配置された第２のシールとを含み、
前記第２の位置は、前記第１のチャンバーの前記第２の端部に配置された前記第１のシールと、前記第２のチャンバーの前記第１の端部に配置された第２のシールとを含む請求項５に記載の装置。
【請求項７】
前記第１のチャンバーは、前記第１のシールと、前記第１のチャンバーの第２の端部とで規定された第４の容量を含み、
前記第２のチャンバーは、前記第２のシールと、前記第２のチャンバーの第２の端部とで規定された第５の容量を含み、
前記流体ポートは、前記チャンバー本体の内部と、前記チャンバー本体の前記外部との間で第６の容量を移動させるように構成されている請求項１に記載の装置。
【請求項８】
前記第１の容量は、前記第１のシールと、前記第２のシールとの移動中、前記第４の容量と、前記第５の容量と、前記第６の容量との合計にほぼ等しい請求項７に記載のシステム。
【請求項９】
前記第３の容量に対する前記第１の容量の割合は、１０：１以上、１００：１以上、１０００：１以上または１００００：１以上である請求項１に記載の装置。
【請求項１０】
第１のチャンバー壁と、第１の端部と、第２の端部とを含む第１のチャンバーと、
第２のチャンバー壁と、第１の端部と、第２の端部とを含み、前記第１のチャンバーと流体連結される第２のチャンバーと、
前記第１のチャンバーに配置される第１のシールと、
前記第２のチャンバーに配置される第２のシールと、
前記第１のシールと、前記第２のシールとの間に配置され、前記第１のチャンバーと前記第２のチャンバーの外部と、前記第１のチャンバーとを流体連結する流体ポートと、
を含み、
前記第１のシールは、前記第１のチャンバーの前記第１の端部と前記第２の端部との間に流体シールを提供し、前記第１のチャンバーからの流体の移動を容易にするために、前記第１のチャンバーの前記第１の端部と前記第２の端部との間で移動するように構成され、
前記第２のシールは、前記第２のチャンバーの前記第１の端部と前記第２の端部との間に流体シールを提供し、前記第２のチャンバーからの前記流体の移動を容易にするために、前記第２のチャンバーの前記第１の端部と前記第２の端部との間で移動するように構成されていることを特徴とするシリンジまたはピペットデバイス。
【請求項１１】
前記第１のシールは、
前記第１のチャンバーから前記第２のチャンバーおよび前記流体ポートの一方または両方に前記流体の移動を容易にすること、および、
前記第２のチャンバーおよび前記流体ポートの一方または両方から前記第１のチャンバーに前記流体の移動を容易にするすること、
の一方または両方を実行するように構成されている請求項１０に記載のデバイス。
【請求項１２】
前記第１のシールは、前記第２のシールと動作可能に連結され、
該連結は、
前記第１のシールの移動と実質的同様の割合で前記第２のシールを移動させること、および、
前記第１のシールの移動の前記割合に比例する割合で前記第２のシールを移動させること、
の一方を容易にするように構成されている請求項１０に記載のデバイス。
【請求項１３】
前記第２のチャンバーの前記第２の端部は、前記第１のチャンバーの前記第２の端部の開口と流体連結する開口を構成する請求項１０に記載のデバイス。
【請求項１４】
前記第１のチャンバーの前記第１の端部は、前記第１のチャンバーの前記外部と流体連結する開口を構成し、および／または、
前記第２のチャンバーの前記第１の端部は、前記第２のチャンバーの前記外部と流体連結する開口を構成する請求項１０に記載のデバイス。
【請求項１５】
前記流体ポートは、視覚的に区切られた位置に前記流体を保持するように構成された目盛り付きチャンバーと連結されるように構成されている請求項１０に記載のデバイス。
【請求項１６】
前記第１のシールと動作可能に連結され、前記第１のシールに並進力を付与するように構成されているアクチュエーターをさらに含む請求項１０に記載のデバイス。
【請求項１７】
前記第１のチャンバーは、前記第２の端部と前記第１のシールとの間で第１の容量を保持するように構成され、
前記第２のチャンバーは、前記第２の端部と前記第２のシールとの間で第２の容量を保持するように構成されている請求項１０に記載のデバイス。
【請求項１８】
前記第１のチャンバー内の前記第１のシールの移動中、前記流体ポートで排出された前記流体の量は、前記第１のシールを前記第２の端部に配置したとき、前記第１の容量と前記第２の容量との合計と、前記第１のシールを前記第１の端部に配置したとき、前記第１の容量と前記第２の容量との合計と、の間の差とほぼ等しい請求項１７に記載のデバイス。
【請求項１９】
シリンジまたはピペットを使用して、低容量流体を移動させる方法であって、前記方法は、
第１のシールに並進力を付与するアクチュエーターを使用して、チャンバー本体の第１のチャンバー内で前記第１のシールを移動させる工程と、
前記第１のチャンバーと流体連結する前記チャンバー本体の第２のチャンバー内で、前記第１のシールの前記移動に応じて第２のシールを移動させる工程と、
前記チャンバー本体内の前記第１のシールと前記第２のシールとの間に配置された流体ポートを通り、第１の容量と第２の容量との間の差にほぼ等しい量の流体を排出する工程と、を含み、
前記第１の容量は、前記第１のシールと、前記第２のシールとが、第１の位置に配置されたとき、前記チャンバー本体の内壁と、前記第１のシールと、前記第２のシールとによって規定され、
前記第２の容量は、前記第１のシールと、前記第２のシールとが、第２の位置に配置されたとき、前記チャンバー本体の内壁と、前記第１のシールと、前記第２のシールとによって規定されることを特徴とする低容量流体を移動させる方法。
【請求項２０】
前記流体ポートを通って移動する前記流体の量は、前記第１の容量の１／１０以下、前記第１の容量の１／１００以下、前記第１の容量の１／１０００以下、または前記第１の容量の１／１００００以下である請求項１９に記載の方法。
【発明の詳細な説明】
【背景技術】
【０００１】
[関連出願]
本願は、２０１２年１１月５日に出願された、「超低容量シリンジ／ピペット」という発明の名称のアメリカ仮出願第６１／７２２，３０４号の利益を要求する。当該アメリカ仮出願によって開示される全ての内容は、この出願に挿入される。
ピペットとシリンジは、例えば、ある量の液体を注入するためおよび／またはある量の液体を移動させる（移す）ために、医学的および／または科学的研究で使用される共通の器具である。これらの器具は、例えば、異なる容量および／または異なる精度レベルを有する、少量の液体を移す、または微量の液体を注入するために、使用の目的に応じて、多様なデザインに構成されている。また、それらは、ガラスや高分子、金属等を含む種々の材料で作られ、より複雑に調節可能なピペットや自動化ピペットを含んでいる。液体をデバイスに吸い込む（drawing）時、吸い込みのために液体保持チャンバーが部分的に減圧され、続けて液体を注入／取り出す（dispense）。
【発明の概要】
【０００２】
ここでは、簡単な形式で概念の選択を提供し、以下の詳細な説明で発明を説明する。ここに記載される事項は、クレームされた発明の主要な要因や本質的特徴を特定する意図ではないし、クレームされた発明の範囲を限定する意図でもない。
【発明が解決しようとする課題】
【０００３】
ここに記載されるように、液体の吸い込み、取り出しを改善する、シリンジまたはピペットと共に使用するための１または２以上のデバイスおよび技術を提供する。例えば、従来のシリンジやピペットは、液体を吸い込むまたは取り出すためにアクチュエーター／プランジャーを作動するとき、相関的な比率を利用する。例として、シリンジまたはピペットは、低容量の液体を吸い込みまたは取り出すように構成されている。一方、アクチュエーター／プランジャーは、大容量の液体用に典型的な方法で移動する。このように、たとえば、ユーザーは、低容量の液体を単に取り出しながら、典型的な方法でデバイスを操作することができ、それによって、デバイスからより高い精度で液体の取り出しをすることができる。
【課題を解決するための手段】
【０００４】
一つの実施例において、シリンジまたはピペットとともに使用するための装置は、第１のチャンバーと、第２のチャンバーと、流体ポート（fluid port、吸排気口）とを有するチャンバー本体を含む。また、第１のシールが第１のチャンバーに配置され、第２のシールが第２のチャンバーに配置される。加えて、チャンバー本体は、第１の容量を含む。第１の容量は、第１のシールと第２のシールとがそれぞれ第１の位置に配置されるとき、少なくとも、第１のチャンバー壁と、第１のシールと、第２のシールとによって規定されている。第１の容量は、第１のシールと第２のシールとがそれぞれ第２の位置に配置されるとき、少なくとも、第２のチャンバー壁と、第１のシールと、第２のシールとによって規定される第２の容量と、流体ポートに配置される液体を含む第３の容量との合計によって、代わる代わる規定されても、また規定されていてもよい。
【０００５】
上記および関連する目的を達成するために、以下の説明と添付の図面が説明に役に立つ特徴と実施例を説明する。これらは、１または２以上の目的が使用される種々の方法のうちのいくつかを示している。この開示の他の目的、利点、新規な特徴は、添付の図面とともに検討されれば、以下の詳細な説明から明らかであるだろう。
【図面の簡単な説明】
【０００６】
本発明は、ある部品および部品の配置において物理的な形をとる。好ましい実施形態をこの詳細な説明と添付した図面を参照して説明する。添付図面は以下の説明を形成する。
【０００７】
【図１Ａ】図１Ａは、シリンジまたはピペットとともに使用するための装置の一実施例を示す構成図である。
【図１Ｂ】図１Ｂは、シリンジまたはピペットとともに使用するための装置の一実施例を示す構成図である。
【０００８】
【図２】図２は、シリンジまたはピペットとともに使用するための装置の一実施例を示す構成図である。
【０００９】
【図３Ａ】図３Ａは、シリンジまたはピペットとともに使用するための装置の一実施例を示す構成図である。
【図３Ｂ】図３Ｂは、シリンジまたはピペットとともに使用するための装置の一実施例を示す構成図である。
【図３Ｃ】図３Ｃは、シリンジまたはピペットとともに使用するための装置の一実施例を示す構成図である。
【図３Ｄ】図３Ｄは、シリンジまたはピペットとともに使用するための装置の一実施例を示す構成図である。
【図３Ｅ】図３Ｅは、シリンジまたはピペットとともに使用するための装置の一実施例を示す構成図である。
【００１０】
【図４Ａ】図４Ａは、シリンジまたはピペットとともに使用するための装置の一実施例を示す構成図である。
【図４Ｂ】図４Ｂは、シリンジまたはピペットとともに使用するための装置の一実施例を示す構成図である。
【図４Ｃ】図４Ｃは、シリンジまたはピペットとともに使用するための装置の一実施例を示す構成図である。
【００１１】
【図５Ａ】図５Ａは、ここに記載されるシステムの１または２以上の部分を含むピペットデバイスの少なくとも一部を示す斜視図である。
【００１２】
【図５Ｂ】図５Ｂは、ここに記載されるシステムの１または２以上の部分を含むピペットデバイスの少なくとも一部を示す斜視図である。
【００１３】
【図６】図６は、ここに記載されるシステムの１または２以上の部分を含むピペットデバイスの１または２以上の部分を示す斜視図である。
【００１４】
【図７】図７は、ここに記載されるシステムの１または２以上の部分を含むシリンジデバイスの少なくとも一部を示す斜視図である。
【００１５】
【図８】図８は、ここに記載されるシステムの１または２以上の部分を含むシリンジデバイスの１または２以上の部分を示す斜視図である。
【００１６】
【図９】図９は、シリンジまたはピペットを使用し、低容量流体を移動させる方法の一例を示すフロー図である。
【発明を実施するための形態】
【００１７】
図面を参照して本発明を説明する。同じ部品には同種の符号が使用される。以下の説明において、説明の目的のために、多くの特定の詳細が発明の理解を助けるために記載される。しかしながら、本発明はこれら特定の詳細なしに実施されてもよいことは明らかである。他の例では、構造および装置は、本発明の説明を容易にするためにブロック図形式で示されてもよい。
【００１８】
装置は、所望の容量の流体を移動させるために使用される。その流体は、例えば、医学的および／または科学的研究利用に関連して、低容量（例えば、ミリリットルよりも少ない超低量）の流体であると典型的に考えられるものを含む。一例として、ピペットタイプの装置の用途は、異なる容量のチャンバーを利用してもよい。容量の差は、装置（例えば、ピペットに入るまたはピペットから出る）によって、排出される流体の容量を構成する。この例において、排出される容量は、チャンバーの全容量のうちのほんの一部を構成する。これは、流体のなめらかな移動を提供しつつ、連結したアクチュエーター（例えば、プランジャー）の比較的普通の使用を可能にする。
【００１９】
図１Ａおよび図１Ｂは、シリンジまたはピペットとともに使用するための装置１００の一実施例を示す構成図である。図１Ａおよび図１Ｂにおいて、実施例の装置１００は、チャンバー本体１０２を含む。チャンバー本体１０２は、第１のチャンバー１０４と、第２のチャンバー１０６と、流体ポート（吸排気口）１０８とを含む。一実施例において、図１Ａおよび図１Ｂの実施例の装置１００に示されるように、第１のチャンバー１０４と、第２のチャンバー１０６は、連続配列で配置されている。その結果、たとえば、同様の中心長軸を共有する。しかしながら、第１のチャンバー１０４と、第２のチャンバー１０６との配列は、この例に限定されない。他の実施例において、各チャンバーは、幾何学的に並行な配列で配置されていてもよい。その結果、例えば、各チャンバーは並んで連結されている。別の例として、第１のチャンバー（例えば、１０４）は、第２のチャンバー（例えば、１０６）と直角に配置されてもよい。ピペットまたはシリンジに使用される装置に実装された各チャンバーの別の配列が当業者によって考案されてもよい。例えば、チャンバーは、互いに所望の角度（例えば、特別な目的のために設計された角度）で整列されていてもよく、および／または、チャンバーの軸が互いに整列されていなくてもよい（例えば、軸が互いにずれていてもよい）。
【００２０】
図１Ａにおいて、実施例の装置１００のチャンバー本体１０２は、第１の容量１１４を含む。第１の容量１１４は、第１のシール１１０と第２のシール１１２とがそれぞれ第１の位置１１８に配置されるとき、少なくとも、第１のチャンバー壁１１６と、第１のシール１１０と、第２のシール１１２とによって規定されている。また、図１Ｂに示されるように、（図１Ａからの）第１の容量１１４は、第１のシール１１０と第２のシール１１２とがそれぞれ第２の位置１２６に配置されるとき、少なくとも第２のチャンバー壁１２４と、第１のシール１１０と、第２のシール１１２とによって規定される第２の容量１２０と、流体ポート１０８で排出される液体を含む第３の容量との合計によって、規定されることができる。
【００２１】
図に示した例として、図１Ａおよび図１Ｂにおいて、第１の容量は、チャンバー本体における第１のシール１１０と第２のシール１１２の位置に応じて、異なって規定される。すなわち、例えば、第１のシール１１０と、第２のシール１１２とが第１の位置１１８に配置すると、第１の容量の実質的全容量は、第１のチャンバー１０４内に配置される。第１のシール１１０と、第２のシール１１２とが第２の位置１２６に配置されると、第１の容量は、第２のチャンバー１０６と、流体ポート１０８で排出される容量との間に分けられる。
【００２２】
一つの実施例において、第１の位置１１８と、第２の位置１２６との間の第１のシール１１０と第２のシール１１２との移動は、第１の容量１１４の一部を流体ポート１０８で効率的に排出させる。一例として、第１のチャンバー１０４に配置された第１の容量は、第１のシール１１０と、第２のシール１１２とが第１の位置１１８と第２の位置１２６との間を移動するとき、第２のチャンバー１０６に移動しても、流体ポート１０８の外に移動してもよい。すなわち、この例において、流体の第１の容量の第１のフラクション（fraction）は、第２のチャンバー１０６内に移動することができ、流体の第１の容量の第２のフラクションは、流体ポート１０８で排出される（例えば、外に移動する）ことができる。「流体」なる語は、流体力学の研究によって一般的に示されるいずれの流体（例えば、液体、ガス、プラズマ）であってもよいことに注意すべきである。
【００２３】
図２は、シリンジまたはピペットとともに使用するための装置の一実施例２００を示す構成図である。図１Ａ、１Ｂも続けて参照し、一つの実施例において、図２に示されるように、第１のシール２１０は、第２のシール２１２と動作可能に結合されている２２６。その結果、第２のシール２１２は、チャンバー本体の第１のチャンバー２０４における第１のシール２１０の移動に比例して、チャンバー本体２０２の第２のチャンバー２０６に移動する。すなわち、例えば、第１のチャンバー２０４内における第１のシール２１０の移動（例えば、第２のシール２１２に向かうまたは離れる）は、第２のチャンバー２０６内において、第２のシール２１２を同じ状態で移動（例えば、第１のシール２１０に向かうまたは離れる）させる。
【００２４】
一つ実施例において、第１のチャンバー２０４における第１のシール２１０の移動は、第２のチャンバー２０６における第２のシール２１２の移動と実質的に等しい。一例として、第１のシール２１０が第１のチャンバー２０４内で第１の方向ａに第１の距離ｂ移動すると、第２のシール２１２は第２のチャンバー２０６内で第１の方向ａに第１の距離ｂと実質的等しい距離を移動する。この実施例において、例えば、第１のシール２１０は、剛性タイプの部品（例えば、バー、ロッド、ワイヤーまたは直接駆動のコネクター部品）によって、第２のシール２１２に動作可能に結合される２２６。その直接駆動のコネクター部品によって、２つのシール２１０、２１２は、同じ方向に互いに合わせて、同じ相対距離以上、移動することができる。
【００２５】
一つ実施例において、第１のチャンバー２０４における第１のシール２１０の移動は、第２のチャンバー２０６における第２のシール２１２の移動と比例するが、非等価であってもよい。一例として、第１のシール２１０が第１のチャンバー２０４内で第１の方向ａに第１の距離ｂ移動すると、第２のシール２１２は第２のチャンバー２０６内で第１の方向ａに第２の距離ｃ移動してもよい。第２の距離ｃは、第１の距離ｂとほぼ比例するが、第２の距離ｃは第１の距離ｂと等しくない。すなわち、第１の距離ｂは、第２の距離ｃより大きくてもよく、小さくてもよい。例えば、第１の距離ｂと第２の距離ｃとの間の関係は、割合ｂ：ｃとして表されてもよい。この実施例において、例えば、第１のシール２１０は、非剛性タイプの部品（例えば、ばね部品、ギア部品または非直接駆動のコネクター部品）によって、第２のシール２１２に動作可能に結合される２２６。その非直接駆動のコネクター部品によって、２つのシール２１０、２１２は、同じ方向に異なる相対移動比率（rate）で移動することができる。
【００２６】
一つ実施例において、第１のチャンバー２０４と第２のチャンバー２０６は、実質的同様な寸法（例えば、直径）を有していてもよい。例えば、チャンバー本体２０２の径は、非可変径のバレル（barrel）を含む。一つの実施例において、第１のシール２１０は、長さ可変タイプのリンク（link）によって、第２のシール２１２に動作可能に結合され、さらにアクチュエーター２２８と連結されている。例えば、長さ可変のリンクは、チャンバー本体２０２の非可変径のバレルにおける第１のシール２１０と第２のシール２１２とを結合することができる。この例において、第１のチャンバー２０４内で第１のシール２１０を移動させるアクチュエーター２２８を使用すると、第２のチャンバー２０６内で第２のシール２１２をほぼ比例に移動させる。
【００２７】
一つ実施例において、例に示されるように、図２の２００におけるアクチュエーター２２８は、第１のシール２１０と動作可能に結合されている。アクチュエーター２２８は、第１のシール２１０に並進力（translation force）を付与するように構成されている。一例として、アクチュエーター２２８は、ユーザーが並進力（例えば、内部または外部に）を付与することができるユーザーインターフェース２５０（例えば、親指プレスのようなグリップ）と連結されてもよい。この例において、内部に並進力を付与すると、流体ポート２０８に向かって第１のシール２１０が移動する（例えば、したがって、第２のシール２１２も内部に移動する）また、外部に向けて並進力をアクチュエーター２２８に付与すると、流体ポート２０８から離れて第１のシール２１０が移動する。
【００２８】
図３Ａは、シリンジまたはピペットとともに使用するための装置の一実施例３００を示す構成図である。図１Ａ、図１Ｂおよび図２を引き続き参照して、一つの実施例において、図３Ａに示されるように、第１のシール１１０（例えば、図２の２１０）は、第１のチャンバー１０４の中心長軸３３０に沿ってスライド可能に移動するように構成されている。また、第２のシール１１２（例えば、図２の２１２）は、第２のチャンバー１０６の中心長軸３３２に沿ってスライド可能に移動するように構成されている。
【００２９】
一つの実施例において、図３Ａに示されるように、第１のチャンバー１０４の中心長軸３３０は、第２のチャンバー１０６の中心長軸３３２と軸方向に一直線になっている。他の実施例において、第１のチャンバー１０４の中心長軸３３０は、第２のチャンバー１０６の中心長軸３３２と平行に（例えば、幾何学的に）整列していてもよい。別の実施例において、第１のチャンバー１０４の中心長軸３３０は、第２のチャンバー１０６の中心長軸３３２と直交して整列していてもよい。
【００３０】
図３Ｂ〜３Ｅは、シリンジまたはピペットとともに使用するための装置の他の実施例３２０、３４０、３６０、３８０を示す構成図である。図３Ｂの実施例３２０において、第１のチャンバー１０４は、チャンバー本体１０２の第２のチャンバー１０６に隣接して（例えば、並行に）配置されている。この実施例において、例えば、第１のシール１１０と、第２のシール１１２は、流体が流体ポートで排出されると、反対方向にそれぞれのチャンバー内を移動するように構成されている。また、この実施例において、各チャンバーの第２の端部３２０ａ、３２０ｂは、例えば、チャンバー１０４と１０６との間のチャンバー壁に開口を構成していてもよい。
【００３１】
別の実施例３４０において、図３Ｃに示されるように、第１のチャンバー１０４と第２のチャンバー１０６は、ドーナッツ形状を構成していてもよい。例えば、それらのチャンバーの中心部は、（例えば、充填部の）別個の中央チャンバー３４２を含んでいてもよい。それは、第１のチャンバー１０４と第２のチャンバー１０６と流動的に（fluidly）連結されていない。この実施例において、例えば、可変サイズの中央チャンバー３４２は、第２のチャンバー１０６が、第１のチャンバー１０４よりも小さい容量を有することができるように構成されている。また、この実施例において、第１のシール１１０と第２のシール１１２とは、例えば、ドーナッツ形状の構成を含むことによって、中央チャンバー３４２を提供するように構成されている。図３Ｄは、別の実施例３６０を示す。チャンバー本体は、別個の中央チャンバー３６２の構成を含んでいる。この実施例において、チャンバー本体１０２と、別個の中央チャンバー３６２とは、異なる幅（例えば、径）を含み、それによって、第１のチャンバー１０４と第２のチャンバー１０６に異なる容量を提供している。
【００３２】
図３Ｅは、別の実施例３８０を示す。チャンバー本体１０２の幅（例えば、径）は、第１のチャンバー１０４の第１の端部３２２から第２のチャンバー１０６の第１の端部３２４に漸減している。一例として、この実施例において、チャンバー本体は、円錐台形状に形成されている。また、この実施例において、第１のシール１１０と、第２のシール１１２とは、チャンバー本体１０２の漸減する幅に沿って移動すると、流体シールを保った状態で変形する（例えば、縮小するおよび拡大する）ように構成されている。一つの実施例において、長さ可変リンク結合（例えば、図２で上述されている）が、漸減する径を含むチャンバー本体１０２中に配置されていてもよい。また、１または２以上の実施例において、長さ可変リンク結合または剛性リンク結合（例えば、図２で上述されている）は、ここに記載された実施例のいずれかで実行されてもよい。
【００３３】
本明細書に記載された装置、デバイス、方法は、本明細書に記載された実施例に単に限定されない。当業者は、チャンバーやチャンバー本体等の別の配置や形状を考え得ることができる。例えば、チャンバー本体（例えば、断面において）は、所望の動作を提供するように構成される、円形状、楕円形状、正方形状、四角形状、三角形状またはたの多角形状を含んでいてもよい。また、例えば、第１のチャンバー１０４と第２のチャンバー１０６とは、種々の態様（例えば、連続的に、並行に、（例えば、幾何学的に）、他方の内部に一方など）で配置されていてもよい。加えて、一つの実施例において、第１のチャンバー１０４と第２のチャンバー１０６とは、異なる径の形状を含んでいてもよい。例えば、第１のチャンバー１０４は、第１の径の形状（例えば、円形状）を含み、第２のチャンバー１０６は、第２の径の形状（例えば、ドーナッツ形状）を含んでいてもよい。
【００３４】
図３Ａに示されるように、第１のチャンバー１０４は、少なくとも第１のチャンバー壁１１６と、第１の端部３２２と、第２の端部３２０ａとを含む。一つの実施例において、第１の端部３２２は、チャンバー本体１０２の外部に対して開口を構成する。一例として、第１のチャンバー１０４の第１の端部３２２は、第１のチャンバー１０４の内部と、チャンバー本体１０２の外部との間の流体連結を構成する開口を構成していてもよい。その結果、流体は、第１のチャンバー１０４から外部に通過することができる。一実施例として、図３Ａに示されているように、第１のシール１１０が第１の端部３２２に向かってスライド可能に移動し、第１のシール１１０と第１の端部３２２との間の空間が流体ガス（例えば、空気）で構成されると、流体ガスは、第１の端部３２２で、第１のチャンバー１０４の内部から外部に排出される。
【００３５】
一つの実施例において、第１のチャンバー１０４の第２の端部３２０ａは、第２のチャンバー１０６と流体連結する開口を構成する。また、第２のチャンバー１０６は、少なくとも第２のチャンバー壁１２４と、第１の端部３２４と、第２の端部３２０ｂとを含む。一つの実施例において、第２の端部３２０ｂは、第１のチャンバー１０４と流体連結にある開口を構成していてもよい。すなわち、例えば、第１のチャンバー１０４の第２の端部３２０ａが第２のチャンバー１０６の第２の端部３２０ｂに一致していてもよい。
【００３６】
一実施例として、図３Ａに示されるように、第１のシール１１０が第２の端部３２０ａに向かってスライド可能に移動し、第１のシール１１０と第２の端部３２０ａとの間の空間が流体（例えば、空気のようなガスまたは流体液体）で構成されると、流体の少なくとも一部は、第１のチャンバー１０４から、第２の端部３２０ａ／３２０ｂの開口を介して、第２のチャンバー１０６に移動する（例えば、流体の別の一部は、流体ポート１０８を介してチャンバー本体１０２の外部に排出されてもよい）。別の例として、第１のシール１１０が第１の端部３２２に向かってスライド可能に移動し、それによって、第２の端部３２０ｂに向かって第２のシールが移動するようになると、第２のシール１１２と第２の端部３２０ｂとの間の、第２のチャンバーに配置された流体は、第２のチャンバー１０６から、第２の端部３２０ｂ／３２０ａの開口を介して、第１のチャンバー１０４に移動する（例えば、流体は、流体ポート１０８を介してチャンバー本体１０２の外部から第１のチャンバー１０４に移動してもよい）。
【００３７】
特別な実施例が本明細書に記載され、図示されたが、ピペットやシリンジの形状、サイズおよび／または寸法は、これらの実施例に限定されない。例えば、流体ポートは、種々の径、形状および／または長さを含む種々の寸法を有し、種々の位置に実装されてもよい。いくつかの実施例を後述する。一例として、流体ポートは、接続手段を含んでいてもよい。その接続手段によって、流体ポートは、流体を移動および／または注入するためのデバイスと動作可能に結合される。別の例において、流体ポートは、流体ポートを介して移動した流体の量を視覚的に観察するために使用される長尺状のチューブと結合されてもよい。
【００３８】
一実施例として、第２のチャンバー１０６の第１の端部３２４は、チャンバー本体１０２の外部に対して開口を構成する。一例として、第２のチャンバー１０６の第１の端部３２４は、第２のチャンバー１０６の内部と、チャンバー本体１０２の外部との間に流体連結を構成する開口を構成していてもよい。その結果、流体は、第２のチャンバー１０６から外部に通過することができる。一実施例として、図３Ａに示されているように、第２のシール１１２が第１の端部３２４に向かってスライド可能に移動し、第２のシール１１２と第１の端部３２４との間の空間が流体ガス（例えば、空気）で構成されると、流体ガスは、第１の端部３２４で、第２のチャンバー１０６の内部から、チャンバー本体１０２の外部に排出される。
【００３９】
図４Ａ〜４Ｃは、シリンジまたはピペットとともに使用するための装置の一実施例４００、４４０、４８０を示す構成図である。図１Ａ、図１Ｂ、図２および図３Ａ〜３Ｅを引き続き参照して、一つの実施例において、図４Ａおよび４Ｂに示されるように、第１のシール１１０と第２のシール１１２との第１の位置１１８は、第１のチャンバー１０４の第１の端部３２２に配置された第１のシール１１０と、第２のチャンバー１０６の第２の端部３２０ｂに配置された第２のシール１１２とを含む。また、一つの実施例において、第１のシール１１０と第２のシール１１２との第２の位置１２６は、第１のチャンバー１０４の第２の端部３２０ａに配置された第１のシール１１０と、第２のチャンバー１０６の第１の端部３２４に配置された第２のシール１１２とを含む。
【００４０】
図４Ａ〜４Ｃに示されるように、一つの実施例において、第１のチャンバー１０４は、第１のシール１１０と、第１のチャンバー１０４の第２の端部３２０ａとによって規定された第４の容量４０２を含む。また、第２のチャンバー１０６は、第２のシール１１２と、第２のチャンバー１０６の第１の端部３２４とによって規定された第５の容量４０４を含む。加えて、流体ポート１０８は、チャンバー本体１０２の内部と、チャンバー本体１０２の外部との間で第６の容量４０６を移動させるように構成されている。一つの実施例において、第１の容量１１４は、第１のシール１１０と第２のシール１１２との移動中、第４の容量４０２と、第５の容量４０４と、第６の容量４０６との合計に実質的に等しい。
【００４１】
一つの実施例として、図１Ａに示されるような第１の容量１１４は、第１のシール１１０と第２のシール１１２とが第１の位置１１８に配置されるとき、図４Ａに示されるような第４の容量４０２と実質的に等しい。したがって、この実施例において、第５の容量４０４と、第６の容量４０６とはそれぞれ、０を含む。また、図４Ｂ（例えば、および図１）に示されるように、第１のシール１１０と第２のシール１１２とが第２の位置に配置されると、第４の容量４０２は０を含み、第１の容量１１４は、第５の容量４０４と、第６の容量４０６との合計に実質的に等しい。また、第１のシール１１０と第２のシール１１２とは、第１の位置１１８と、第２の位置１２６との間の位置を含む第３の位置４８２に配置されてもよい。
【００４２】
すなわち、図４Ｂの実施例４４０において、流体ポート１０８を介して、チャンバー本体１０２の内部から外部に排出された流体の量（例えば、４０６）は、（実施例４００からの）第４の容量４０２と、（実施例４４０からの）第５の容量４０４との間の差を含む。しかしながら、図４Ｃの実施例４８０において、流体ポート１０８を介して、チャンバー本体１０２の内部から外部に排出された流体の量は、第１の容量１１４と、第４の容量４０２および第５の容量４０４の合計との間の差を含む。
【００４３】
一つの実施例において、第４の容量４０２と、第５の容量４０４との間の容量差は、第１のチャンバー１０４と、第２のチャンバー１０６とのサイズによって決定される。これは、例えば、流体ポート１０８で排出された流体の量を決定づける。一つの実施例において、（例えば、流体ポートで排出された）第３の容量１２２に対する第１の容量１１４の割合は、１０：１以上（＞１０：１）、１００：１以上（＞１００：１）、１０００：１以上（＞１，０００：１）または１００００：１以上（＞１０，０００：１）（例えば、または他の割合）を含む。一例として、シリンジおよび／またはピペットは、マイクロリットルの精度で動かす（例えば、吸い込むおよび／または排出する）ことができる一方、チャンバー本体（例えば、１０２）は、（例えば、第１のチャンバー１０４と第２のチャンバー１０６との間）マイクロリットル（ｍｌ）の精度で動かしてもよい。
【００４４】
一つの実施例として、シリンジおよび／またはピペットのチャンバー本体（例えば、１０２）は、１０ｍｌの第４の容量（例えば、４０２）を保持するように構成された第１のチャンバー（例えば、１０４）と、９．９９ｍｌの第５の容量（例えば、４０４）を保持するように構成された第２のチャンバー（例えば、１０６）とを含んでいる。これにより、第６の容量（例えば、４０６）は１０μｌになる。この実施例において、第１のチャンバーの第１の端部（例えば、３２２）から、第１のチャンバーの第２の端部（例えば、３２０ａ）へ第１のシール（例えば、１１０）が移動する（例えば、したがって、第２のチャンバーの第２の端部（例えば、３２４）から第２のチャンバーの第２の端部（例えば、３２０ｂ）に第２のシール（例えば、１１２）が移動する）と、流体ポート（例えば、１０８）で、１０μｌが第１のチャンバーからチャンバー本体の外部へ移動する（例えば、排出する）。反対に、第１のチャンバーの第２の端部から第１のチャンバーの第１の端部に第１のシールを移動する（例えば、したがって、第２のチャンバーの第１の端部から第２のチャンバーの第２の端部に第２のシールを移動する）と、流体ポートで、１０μｌがチャンバー本体の外部から第１のチャンバーへ移動する（例えば、吸い込まれる）。
【００４５】
シリンジまたはピペットは、シリンジまたはピペットの作動によって内部に移動する流体の量と比較すると、低容量の流体（例えば、超低容量）を移動するために使用される。すなわち、例えば、シリンジまたはピペットのユーザーは、大容量の移動に代表的なアクチュエーターに力ベクトルを付与することができる。しかし、それは、流体（例えば、液体、ガス、プラズマ）の低容量の移動（例えば、収集または散失）を単にもたらしているに過ぎない。
【００４６】
図５Ａ、５Ｂおよび図６は、実施例のピペットデバイス５００の１または２以上の部分を示す斜視図である。それらは、本明細書に記載されるシステムの１または２以上の部分を含む。図５Ａのこの実施例５００において、第１のチャンバー５０４（例えば、図１の１０４）と、第２のチャンバー５０６（例えば、図１の１０６）とは、チャンバー本体（例えば、図１の１０２）で構成されている。第１のチャンバーは、第１のチャンバー壁５１６と、第１の端部５２２と、第２の端部５２０ａとを含む。第２のチャンバーは、第２のチャンバー壁５３４と、第１の端部５２４と、第２の端部５２０ｂとを含む。第２のチャンバー５０６は、第１のチャンバー５０４と流体連結されている。また、実施例のピペットデバイス５００は、第１のチャンバー５０４と第２のチャンバー５０６の外部に、第１のチャンバー５０４と流体連結で配置された流体ポート５０８（例えば、図１の１０８）を含む。
【００４７】
図５Ｂにおいて、実施例のデバイス５８０は、第１のシール５１０と、第２のシール５１２とを含む。図６に示されるように、第１のシール５１０は、第１のチャンバー５０４に配置され、第１のチャンバー５０４の第１の端部５２２と第２の端部５２０ａとの間の流体シールを提供するように構成されている。また、第１のシール５１０は、第１のチャンバー５０４から流体を移動することを容易にするために、第１のチャンバー５０４の第１の端部５２２と第２の端部５２０ａとの間で移動するように構成されている。図６に示されるように、第２のシール５１２は、第２のチャンバー５０６に配置され、第２のチャンバー５０６の第１の端部５２４と第２の端部５２０ｂとの間の流体シールを提供するように構成されている。加えて、第２のシール５１２は、第２のチャンバー５０６から流体を移動することを容易にするために、第２のチャンバー５０６の第１の端部５２４と第２の端部５２０ｂとの間で移動するように構成されている。
【００４８】
一つの実施例において、第１のシール５１０は、第１のチャンバー５０４から第２のチャンバー５０６および／または流体ポート５０８に流体（例えば、空気のようなガス、液体またはプラズマ）の移動（displacement）を容易にするように構成されている。また、第１のシール５１０は、第２のチャンバー５０６および／または流体ポート５０８から第１のチャンバー５０４に流体の再配置（replacement）を容易にするように構成されている。すなわち、たとえば、第１のチャンバー５０４は、第１のシール５１０と第１のチャンバー５０４の第２の端部５２０ａとの間に配置された流体６０２の第１の容量を含む。
【００４９】
この例において、第１のシール５１０が第１の端部５２２から第２の端部５２０ａに向かって移動すると、第１の容量の流体６０２は、第２のチャンバー５０６と流体ポート５０８に移動する。これにより、第２のチャンバー５０６の第２の容量の流体６０４と、流体ポート５０８で第３の容量の流体６０６とになる。また、この例において、第１のチャンバー５０４（例えば、第１の容量の流体６０２）から移動する流体の量は、流体６０４の第２の容量と、流体６０６の第３の容量とに実質的に等しい。
【００５０】
別の例として、第１のシール５１０が第２の端部５２０ａから第１の端部５２２に向かって移動すると、第２の容量の流体６０４は、第２のチャンバー５０６から第１のチャンバー５０４に移動し、第３の容量の流体６０６は、流体ポート５０８から移動（吸い込まれる）する。これにより、第１のチャンバー５０４における第１の容量の流体６０２になっている。また、この例において、第１のチャンバー５０４（例えば、流体６０２の第１の容量）に移動した流体の量は、第２のチャンバー５０６からの流体６０４の第２の容量と、流体ポート５０８からの流体６０６の第３の容量とに実質的に等しい。一つの実施例において、第１のチャンバー５０４における第１のシール５１０の移動中、流体ポート５０８で排出された第３の容量の流体６０６は、第１のシール５１０が第２の端部５２０ａに配置されたとき、流体６０２の第１の容量と流体６０４の第２の容量との合計と、第１のシール５１０が第１の端部５２２に配置されたとき、流体６０２の第１の容量と流体６０４の第２の容量との合計との間の差に実質的に等価であってもよい。
【００５１】
図５Ｂと図６に示されるように、第１のシール５１０は、第２のシール５１２と動作可能に結合される５２６。第１のシール５１０と第２のシール５１２との間の結合５２６は、第１のシール５１０の移動とほぼ同様な割合で、第２のシール５１０の移動を容易にするように構成される。すなわち、例えば、第１のシール５１０と動作可能に結合するアクチュエーター５２８が並進力を（例えば、活性グリップ５５０で）付与することによって駆動すると、並進力が第１のシール５１０に付与される。この例において、第１のシールに付与される並進力は、結合５２６に付与される並進力につながる。これは、同様に、ほぼ同様な割合で第２のシール５１２に並進力を付与することができる。それによって、ほぼ同様な割合で、第１のシール５１０および第２のシール５１２が各チャンバー５０４、５０６内を移動する。別の実施例において、第１のシール５１０と第２のシール５１２との間の結合５２６は、第１のシール５１０の移動割合に対して比例する割合で、第２のシール５１２の移動を容易にするように構成されている。
【００５２】
また、図５Ａ、図５Ｂ、図６に示されるように、第２のチャンバー５０６の第２の端部５２０ｂは、第１のチャンバー５０４の第２の端部５２０ａの開口と流体連結する開口を構成する。また、第１のチャンバー５０４の第１の端部５２２は、第１のチャンバー５０４の外部と流体連結する開口を構成する。加えて、第２のチャンバー５０６の第１の端部５２４は、第２のチャンバー５０６の外部と流体連結する開口を構成する。
【００５３】
一つの実施例において、図６に示されるように、流体ポート５０８は、目盛り付きチャンバー５６０と流動的（fluidly）に連結されるように構成されている。その目盛り付きチャンバー５６０は、視覚的に区切られた位置５６８に流体を保持するように構成されている。例えば、実施例のピペットデバイス５００は、第１のシール５１０と第２のシール５１２とを移動させるグリップ５５０を引くことによって、目盛り付きチャンバー５６０に流体６５０（例えば、所望の対象液体）を吸い込むように構成されている。それによって、流体ポート５０８を通って、第１のチャンバー５０４に第３の容量の流体６０６を移動させることができる。この例において、ピぺット６５０に吸い込まれた流体の量は、流体６０６の第３の容量に実質的に等しい。ピペット６５０に吸い込まれた流体の量は、例えば、目盛り付きチャンバー５６０で視覚的に観察される。
【００５４】
一つの実施例において、目盛り付きチャンバー５６０で構成される容量は、流体ポート５０８を通って移動した流体６０６の第３の容量に実質的に等しい（例えば、またはより大きい）。例えば、第１のチャンバー５０４で移動した容量と、第２のチャンバー５０６で移動した容量との間の差は、第１のシール５１０と第２のシール５１２とが各チャンバーを移動するとき、目盛り付きチャンバー５６０で構成される容量以下である。このように、例えば、ピペットまたはシリンジデバイスによって移動された流体は、チャンバー本体５０２の内部に移動していないかもしれない。別の例として、第３の容量６０６は、１００マイクロリットル（１００μｌ）である。目盛り付きチャンバー５６０の容量は、目盛り付きチャンバー５６０の容量のπｒ２×長さ以上である。
【００５５】
一つの実施例において、図５Ａ、図５Ｂ、図６に示されるように、実施例のピペットデバイス５００は、ユーザーインターフェース機構５６４、５６６を含んでいてもよい。それは、ユーザーが使用中、ピペットデバイス５００を適切に把持することができるように構成されている。例えば、デバイスの人間工学的使用を考慮して、ユーザーの１または２以上の指またはユーザーの手の他の部分がユーザーインターフェース機構５６４、５６６に位置される。
【００５６】
図７と図８は、ここに記載されるシステムの１または２以上の部分を含むシリンジデバイス７００の実施例の１または２以上の部分を示す斜視図である。実施例のシリンジデバイス７００は、チャンバー本体７０２と、第１のチャンバー７０４と、第２のチャンバー７０６とを含む。第１のチャンバー７０４は、第１の端部７２２と、第２のチャンバー７０６の第２の端部７２０ｂと流体連結する第２の端部７２０ａとを含む。第２のチャンバー７０６はさらに第１の端部７２４を含む。実施例のシリンジデバイス７００は、第１のチャンバー７０４と流体連結する流体ポート７０８をさらに含む。第１のチャンバー７０４の第１の端部７２２は、チャンバー本体７０２の外部と流体連結している。そして、第２のチャンバー７０６の第１の端部７２４は、チャンバー本体７０２の外部と流体連結している。
【００５７】
一つの実施例において、実施例のシリンジデバイスは、流体ポート７０８と流体連結する目盛り付きチャンバー７６０を含む。目盛り付きチャンバー７６０は、目盛り付きチャンバー７６０に配置された流体の量を視覚的に示すように構成される目盛り付きマーク７６８を含む。この実施例において、実施例のシリンジデバイス７００は、ニードル収容部品（needle receiving component）７６２を含む。このニードル収容部品７６２は、例えば、目盛り付きチャンバー７６０とニードルとの間を密閉にし、シリンジニードルモジュール８０２と動作可能に連結するように構成されている。一つの実施例において、ニードル収容部品７６２は、いずれかのタイプのニードルまたは注射デバイス用の適切な結合手段を含むことができるが、図７に示されたものに限定されない。また、一つの実施例において、シリンジデバイスは、例えば、シリンジデバイスと固定的に連結される固定ニードルまたは注射デバイスを含んでいてもよい。
【００５８】
図８に示されるように、実施例のシリンジデバイスは、第１のチャンバー７０４に配置された第１のシール８１０と、第２のチャンバー７０６に配置された第２のシール８１２とを含む。また、一つの実施例において、図７と図８に示されるように、実施例のシリンジデバイス７００は、ユーザーによってシリンジデバイス７００の使用を容易にするように構成されたユーザーインターフェース機構７６４、７６６を含んでいてもよい。加えて、第１のシール８１０と、第２のシール８１２とは、カップラー８２６によって動作可能に結合されていてもよい。そして、第１のシールは、第１のシール８１０に並進力を付与するように構成されたアクチュエーター８２８と動作可能に連結されている。それは、同様に、カップラー８２６を介して、第２のシール８１２に並進力を付与することになる。
【００５９】
本明細書に記載される装置、デバイス、シリンジおよび／またはピペットの１または２以上を使用して、シリンジまたはピペットを使用する低容量流体を移動するための方法を提供する。すなわち、例えば、ユーザーは、大容量の流体の移動に代表的な期間を超えてエネルギー量を使用して、実施例のピペットまたはシリンジを使用することができる。しかし、それは、単に、流体の低容量移動をもたらしているに過ぎない。一例として、ユーザーは、１０ミリリットルを吸い込みまたは移動に同等な期間を超えてエネルギー量を付与してもよい。しかしながら、それらは、１０マイクロリットルを単に吸い込みまたは移動しているに過ぎない。
【００６０】
図９は、シリンジまたはピペットを使用し、低容量流体を移動させる方法９００の一例を示すフロー図である。実施例の方法９００は、９０２でスタートする。９０４で、シールに並進力を付与するアクチュエーターを使用して、第１のシールをチャンバー本体の第１のチャンバー内で移動させる。９０６で、第２のシールをチャンバー本体の第２のチャンバー内で移動させる。この実施例において、第２のチャンバーは、第１のチャンバーと流体連結されており、第２のシールは、第１のシールの移動に応じて移動する。
【００６１】
９０８で、第１のシールと第２のシールの移動の結果として、所定量の流体９５０は、チャンバー本体の第１のシールと第２のシールとの間に配置される流体ポートを通って排出される。この実施例において、排出された流体９５０の量は、第１の容量と第２の容量９５２との間の差と実質的に等しい。第１の容量は、第１のシールと第２のシールとが第１の位置に配置されるとき、チャンバー本体壁の内壁と、第１のシールと、第２のシールとによって規定される。また、第２の容量は、第１のシールと第２のシールとが第２の位置に配置されるとき、チャンバー本体壁の内壁と、第１のシールと、第２のシールとによって規定される。
【００６２】
一例として、第１のシールが第１のチャンバーの第１の端部に配置され、第２のシールが第２のチャンバーの第２の端部に配置されると、第１の容量は、第２のチャンバーのほぼ全ての容量を構成する。また、この例において、第１のシールが第１のチャンバーの第２の端部に配置され、第２のシールが第２のチャンバーの第１の端部に配置されると、第２の容量は、第２のチャンバーのほぼ全ての容量を構成していてもよい。加えて、第１の容量は、第２の容量より大きい。例えば、第１の容量は、１ミリリットルまたは２ミリリットル以上を含み、第２の容量は、１マイクロリットルまたは２マイクロリットル以上で、第１の容量より少ない。これにより、例えば、第３の容量は、１マイクロリットルまたは２マイクロリットル以上を含む。一つの実施例において、流体ポートを通って排出された流体９５０の体積は、第１の容量の１／１０以下であってもよく、第１の容量の１／１００以下であってもよく、第１の容量の１／１０００以下であってもよく、または第１の容量の１／１００００以下であってもよい（例えば、または他の割合）。
【００６３】
用語「例（exemplary）」は、本明細書で、実施例、例または図示のための意味で使用される。ここで「例（exemplary）」として記載されるいずれの目的または設計は、他の目的または設計より優れる利益として解釈される必要はない。むしろ、用語「例（exemplary）」の使用は、具体的な方法で本発明の概念を意図している。この出願で使用されるように、用語「または」は、「または」を除外するよりもむしろ「または」を含む意味を意図している。すなわち、特別の定めがない限り、または、内容から明らかでない限り、「ＸがＡまたはＢを使用する」とは、通常の両立的な順列のいずれかを意味することを意図している。すなわち、ＸがＡを使用し、ＸがＢを使用し、またはＸがＡとＢとの両方を使用すると、「ＸがＡまたはＢを使用する」とは、前記例のいずれかを満足する。また、ＡとＢの少なくとも一方等は、一般的に、Ａ、Ｂ、またはＡとＢとの両方を意味する。加えて、本願と添付の特許請求の範囲で使用される冠詞「ａ」と「ａｎ」は、特別の定めがない限り、または、単数形で規定される内容から明らかでない限り、一般的に、「１または２以上」の意味に解釈される。
【００６４】
本発明を構造的特徴および／または方法論的行為に特有の言葉で説明したが、添付の特許請求の範囲に記載される発明は、上述された特別な特徴または行為に必ずしも限定されないと理解されるべきである。むしろ、上述された特別な特徴および行為は、特許請求の範囲の発明を実施する実施例として記載されている。本明細書中で記載される「一つの実施例」または「一実施例」は、実施例に関連して記載される特別な特徴、構造または性質が少なくとも一つの実施例に含まれることを意味する。したがって、本明細書中の種々の場所で使用される「一つの実施例において」または「一実施例において」というフレーズは、必ずしも、同じ実施例に全て言及しているわけではない。また、特別な特徴、構造または性質は、１または２以上の実施例において、適切な状態で組み合わされてもよい。もちろん、当業者は、特許請求の範囲に係る発明の範囲または意図から離れることなく、多くの変形例がこの構成に対して作られると認識する。
【００６５】
また、本発明は、１または２以上の実施例に対して示され、説明されたが、対応する変更例および変形例が本明細書と添付図面を見て理解する当業者に理解される。本発明は、そのようなすべての変更例および変形例を含み、以下の特許請求の範囲によってのみ限定される。上述された部品（例えば、エレメント、リソースなど）によって実行される種々の機能に関し、ここに記載された本発明の典型例の機能を実行する、開示された構造に構造的に対応していないとしても、そのような部品を説明するために使用される用語は、特別な意図がない限り、説明された部品（例えば、機能的に相当する物）の特別な機能を実行するいずれの部品にも対応する意図である。
【００６６】
加えて、本発明の特別な特徴がいくつかの実施例の一つのみに対して説明されたが、そのような特徴は、それが望まれ、与えられた用途または特定の用途のために有利であるので、他の実施例の１または２以上の他の特徴と組み合わされてもよい。さらに、用語「含む（includes）」、「有する（having）」、「有する（has）」、「有する（with）」またはそれらの変化例が詳細な説明または特許請求の範囲のいずれかに使用される範囲で、そのような用語は、用語「含む（comprising）」に類似する態様を含む意図である。
【図１Ａ】
2016500549.tif 000003
【図１Ｂ】
2016500549.tif 000004
【図２】
2016500549.tif 000005
【図３Ａ】
2016500549.tif 000006
【図３Ｂ】
2016500549.tif 000007
【図３Ｃ】
2016500549.tif 000008
【図３Ｄ】
2016500549.tif 000009
【図３Ｅ】
2016500549.tif 000010
【図４Ａ】
2016500549.tif 000011
【図４Ｂ】
2016500549.tif 000012
【図４Ｃ】
2016500549.tif 000013
【図５Ａ】
2016500549.tif 000014
【図５Ｂ】
2016500549.tif 000015
【図６】
2016500549.tif 000016
【図７】
2016500549.tif 000017
【図８】
2016500549.tif 000018
【図９】
2016500549.tif 000019
【国際調査報告】
2016500549.tif 000020
2016500549.tif 000021
2016500549.tif 000022
2016500549.tif 000023